(57)【要約】【課題】長時間座り続けても疲労の蓄積が少なく、しかも、着座中に適度に脚の筋力を使い筋力の低下を防止できる膝受止板付事務用椅子を提供すること。【解決手段】腰掛部１の下方位置から前方に向けて突出した膝受止板支持部材２と、膝受止板支持部材２に取り付けられる膝受止板３とを設け、膝受止板３の前後方向の位置と傾斜角度を調整可能とした。【選択図】図１
2005095556.tif 000002
【特許請求の範囲】
【請求項１】
腰掛部の下方位置から前方に向けて突出した膝受止板支持部材と、前記膝受止板支持部材に取り付けられる膝受止板とを有し、前記膝受止板の前後方向の位置と傾斜角度を調整可能としたことを特徴とする膝受止板付事務用椅子。
【請求項２】
膝受止板支持部材を上下２段に設け、前記膝受止板を上下２段の膝受止板支持部材に沿って前後にスライド可能に設けることによって、前記膝受止板の前後方向の位置と傾斜角度を調整可能とした請求項１に記載の膝受止板付事務用椅子。
【請求項３】
膝受止板支持部材を前後方向に伸縮又は進退可能なものとし、この膝受止板支持部材の先端近傍に前記膝受止板を回動可能に設けることによって、前記膝受止板の前後方向の位置と傾斜角度を調整可能とした請求項１に記載の膝受止板付事務用椅子。
【請求項４】
膝受止板支持部材を前後方向に伸縮又は進退可能なものとし、前記膝受止板の下部を膝受止板支持部材の下方位置で回動可能に支持すると共にその上部を膝受止板支持部材に支持可能とすることによって、前記膝受止板の前後方向の位置と傾斜角度を調整可能とした請求項１に記載の膝受止板付事務用椅子。
【請求項５】
膝受止板の下部に足裏を載置するための足裏受け部材が設けられている請求項１〜４の何れかに記載の膝受止板付事務用椅子。
【請求項６】
足裏受け部材が、膝受止板に対して上下方向の位置が調整可能に設けられ、かつ、基端部を中心として水平方向に揺動可能に設けられている請求項５に記載の膝受止板付事務用椅子。
【請求項７】
足裏受け部材の足裏載置面が、上方に向けて凸となるアーチ状に形成されている請求項５又は６に記載の膝受止板付事務用椅子。
【請求項８】
上方に向けて凸となるアーチ状に形成されているアーチ部の形状及び高さが調整可能である請求項７に記載の膝受止板付事務用椅子。
【請求項９】
足裏受け部材の足幅方向の長さが調整可能である請求項５〜８の何れかに記載の膝受止板付事務用椅子。
【発明の詳細な説明】
【技術分野】
【０００１】
本発明は、膝受止板を備えた事務用椅子に関するものである。
【背景技術】
【０００２】
現代社会では、ＯＡ機器の普及に伴い、事務用椅子に腰掛け、机に向かっての事務作業が増えている。従来の事務用椅子では、腰掛け中、とくに机に向かって姿勢を前方に傾斜させようとすると脚が不安定になり、不自然な姿勢になるので、疲労が蓄積するとともに作業効率が低下してしまう。
【０００３】
これに対して、特許文献１には、座椅子において、腰掛部の下方に膝当部を前後にスライド可能に設けることによって、正座姿勢で長時間座り続ける際の姿勢保持及び脚のしびれ等を解消するようにしたものが開示されている。
【０００４】
しかし、特許文献１に開示されている座椅子は、事務用椅子とはその使用形態が全く異なるため、その膝当部を事務用椅子にそのまま適用することはできない。例えば、特許文献１の膝当部は前後にスライド可能で前後の位置は調整可能であるが、事務用椅子において膝を適切に受け止めるには、前後の位置調整だけでは不十分であり、前後の傾斜角度の調整が必須である。
【０００５】
一方、従来の事務用椅子では腰掛け中には、身体の筋肉、とくに脚の筋肉はほとんど使わないため、長時間の事務作業が長期間継続すると、筋力とともに基礎代謝量が低下し、生活習慣病の原因の一つとなっている。この問題は、事務用椅子特有の問題であり、特許文献１の座椅子では一切考慮されていない。
【特許文献１】特開２０００−３１６６７１号公報
【発明の開示】
【発明が解決しようとする課題】
【０００６】
本発明が解決しようとする課題は、長時間座り続けても疲労の蓄積が少なく、しかも、着座中に適度に脚の筋力を使い筋力の低下を防止できる膝受止板付事務用椅子を提供することにある。
【課題を解決するための手段】
【０００７】
上記課題を解決するために、本発明の膝受止板付事務用椅子は、腰掛部の下方位置から前方に向けて突出した膝受止板支持部材と、前記膝受止板支持部材に取り付けられる膝受止板とを有し、前記膝受止板の前後方向の位置と傾斜角度を調整可能としたことを特徴とする。
【０００８】
そして、本発明では、（１）膝受止板支持部材を上下２段に設け、前記膝受止板を上下２段の膝受止板支持部材に沿って前後にスライド可能に設けることによって、（２）膝受止板支持部材を前後方向に伸縮又は進退可能なものとし、この膝受止板支持部材の先端に前記膝受止板を回動可能に設けることによって、又は、（３）膝受止板支持部材を前後方向に伸縮又は進退可能なものとし、前記膝受止板の下部を膝受止板支持部材の下方位置で回動可能に支持すると共にその上部を膝受止板支持部材に支持可能とすることによって、前記膝受止板の前後方向の位置と傾斜角度を調整可能とすることができる。
【０００９】
また、本発明では、膝受止板の下部に足裏を載置するための足裏受け部材を設けることができ、この足裏受け部材は、膝受止板に対して上下方向にスライド可能、かつ、基端部を中心として水平方向に揺動可能に設けることができる。足裏受け部材の足幅方向の長さは、作業者の足の幅に合うよう調整可能とすることができる。
【００１０】
さらに、足裏受け部材の足裏載置面は、上方に向けて凸となるアーチ状に形成することができる。すなわち、健全な人の足裏には、親指とかかとを結ぶアーチ、小指とかかとを結ぶアーチ、及び、親指と小指とを結ぶアーチの３つのアーチが形成されており、このアーチによって体重を適切に受け止めることができるとともに、足裏の力学的受容器である「メカノレセプター」の維持・発達を促すと言われている。したがって、足裏受け部材の足裏載置面を健全な人の足裏の形状を模した形状とすることによって、健全な足裏形状の形成を促進することができる。また、作業者の足の大きさにより適切なアーチの形状は異なるので、足裏載置面のアーチ部の形状及び高さを調整可能とすることが好ましい。
【発明の効果】
【００１１】
本発明では、膝受止板の前後方向の位置と傾斜角度を調整可能としたことで、作業者の膝及び下肢をその作業者の体格や姿勢に応じて適切に受け止めることができるので、長時間座り続けても疲労の蓄積が少なく、事務作業に集中でき効率も向上する。また、作業者は、膝受止板に体重をかけながら座ることになり、その際、大腿部や股関節部の筋肉に負荷がかかり、座って作業しながらに筋肉を使うことができるので、筋力の低下を防止できる。
【００１２】
さらに、膝受止板の下部に足裏を載置するための足裏受け部材を設けることによって、座ったときに足裏が安定し姿勢が安定するとともに、足首周りの筋肉に負荷がかかり筋力の低下を防止することができる。
【００１３】
また、足裏受け部材の足裏載置面を、健全な人の足裏形状を模して上方に向けて凸となるアーチ状に形成することによって、健全な足裏形状の形成を促進することができる。
【発明を実施するための最良の形態】
【００１４】
本発明の実施の形態を図面に示す実施例に基づき説明する。
【実施例１】
【００１５】
図１は、本発明の第１実施例の全体構成を示す側面図である。同図に示すように、事務用椅子の腰掛部１の下方位置には、上下２段の膝受止板支持部材２が前方に向けて突き出して設けられている。そして、膝受止板３が、上下２段の膝受止板支持部材２に沿って前後にスライド可能に設けられている。また、膝受止板３の下部には足裏を載置するための足裏受け部材４が設けられている。膝受止板３の表面（膝が当たる面）は、コルク材等の軟質材料で構成されている。
【００１６】
図２は、膝受止板３の膝受止板支持部材２への取付構造を示す斜視図であり、（ａ）は膝受止板支持部材２の基端側から見たもので、（ｂ）は膝受止板支持部材２の先端側から見たものである。図２に示すように、膝受止板支持部材２は、腰掛部１の下方位置において、上下左右の４箇所に合計４本設けられており、それぞれの膝受止板支持部材２には長手方向に沿って等間隔に複数の膝受止板取付用孔２ａ（図１参照）が設けられている。
【００１７】
膝受止板３には、４本の膝受止板支持部材２を挿通する挿通孔３ａが４箇所に設けられており、この４箇所の挿通孔３ａの両側端部に沿って上下方向に保持リブ３ｂが設けられている。保持リブ３ｂには、膝受止板３固定用のボルト５を挿通可能なボルト挿通孔３ｃが各保持リブ３ｂの上下２箇所に設けられている。
【００１８】
また、膝受止板３の下部には、足裏受け部材４を装着するための足裏受け部材装着孔３ｄが設けられている。この足裏受け部材装着孔３ｄは縦長に形成されており、足裏受け部材装着孔３ｄ内で足裏受け部材４が上下方向にスライド可能となっている。そして、膝受止板３の両側端に設けた側壁部３ｅには上下方向に２列で等間隔に複数の足裏受け部材取付用孔３ｆが設けられている。一方、足裏受け部材４の膝受止板３端部側の側壁部４ａには、足裏受け部材取付用孔３ｆと整合する位置に足裏受け部材固定用のボルト６を挿通可能な２つのボルト挿通孔４ｂが設けられている。
【００１９】
足裏受け部材４の足裏載置面４ｃは、底面が平板状で上面は波形状の形状を有する硬質ゴムで構成されている。足裏載置面４ｃは、全体としては健全な人の足裏形状を模して上方に向けて凸となるアーチ状に形成されている。そのアーチは、前後及び左右の両方向に形成されている。足裏載置面４は、硬質ゴムのほかコルク材等の軟質材料で形成することもできる。
【００２０】
図３に示すように、足裏受け部材４の底板部４ｄは、基端側に設けたピン７を介して膝受止板３の底板部３ｇに軸支されており、底板部４ｄの先端側（つま先側）には、膝受止板３の底板部３ｇに立設した突起３ｈを挿通可能な円弧状の溝４ｅが設けられている。これによって、足裏受け部材４は、基端側のピン７を中心として円弧状の溝４ｅの範囲内で揺動可能となっている。
【００２１】
以上の構成において、膝受止板３を使用する際は、まず、作業者の体格や姿勢に合わせて、その前後方向の位置と傾斜角度を調整する。
【００２２】
前後方向の位置の調整は、膝受止板３を膝受止板支持部材２に挿通した状態で、膝受止板３を膝受止板支持部材２に沿って前後方向にスライドさせることによって行う。前後方向の傾斜角度の調整も同様に、膝受止板３を膝受止板支持部材２に沿って前後方向にスライドさせることによって行う。すなわち、膝受止板３の上側と下側のスライド量を変化させることによって、例えば図１に示すような傾斜角度を得ることができる。前後方向の位置と傾斜角度の調整が終わったら、膝受止板３の保持リブ３ｂに設けているボルト挿通孔３ｃと、膝受止板支持部材２に設けている膝受止板取付用孔２ａとを整合させて、膝受止板取付用孔２ａ及びボルト挿通孔３ｃにボルト５を挿入することによって、膝受止板３を膝受止板支持部材２に対して固定する。
【００２３】
次に、足裏受け部材４の高さ調整を行う。これは、足裏受け部材４を膝受止板３の足裏受け部材装着孔３ｄ内で上下方向にスライドさせることによって行う。その後、足裏受け部材４の側壁４ａに設けているボルト挿通孔４ｂと、膝受止板３の側壁部３ｅに設けている足裏受け部材取付用孔３ｆとを整合させて、足裏受け部材取付用孔３ｆ及びボルト挿通孔４ｂにボルト６を挿入することによって、足裏受け部材４を膝受止板３に対して固定する。
【００２４】
以上の要領によって、膝受止板３及び足裏受け部材４を作業者の体格や姿勢に合わせて適切な位置に調整し固定することができる。
【実施例２】
【００２５】
図４は、本発明の第２実施例の要部を示す斜視図であり、（ａ）は膝受止板支持部材２０の基端側から見たもので、（ｂ）はその反対側から見たものである。本実施例は、膝受止板支持部材２０を伸縮可能とすることで膝受止板３０の前後方向の位置を調整可能とするとともに、膝受止板支持部材２０の先端に膝受止板３０を回動可能に軸支することで膝受止板３０の前後方向の傾斜角度を調整可能としたものである。
【００２６】
図４に示すように、膝受止板支持部材２０は、基端側の受け部材２１と先端側のスライド部材２２とから構成されており、スライド部材２１は受け部材２１内にスライド可能に装着されている。また、スライド部材２１には、固定ピン２３を挿通可能な複数のピン挿通孔２２ａが長手方向に沿って等間隔に設けられている。
【００２７】
図５は固定ピン２３による固定機構の構成を示す断面図である。固定ピン２３はバネ収納ボックス２４内のコイルバネ２５のバネ力によって、常時は受け部材２１及びスライド部材２２の方に突出するようになっている。これによって、常時は、固定ピン２３がスライド部材２２の特定のピン挿通孔２２ａに挿入されて、膝受止板支持部材２０全体の長さは固定される。膝受止板支持部材２０の長さを調整する際は、固定ピン２３をバネ力に抗して上方に持ち上げ、スライド部材２２をスライドさせて所望の長さに調整し、スライド部材２２のピン挿通孔２２ａを固定ピン２３と整合させた後に、固定ピン２３を下降させる。
【００２８】
スライド部材２２の先端には、膝受止板３０に立設した一対の保持リブ３１を介して膝受止板３０が回動可能に軸支されている。保持リブ３１は半円状に形成され、その円周方向に沿って等間隔に複数のピン挿通孔３１ａが設けられており、固定ピン３２を挿入するピン挿通孔３１ａを変えることで膝受止板３０の傾斜角度が調整可能となっている。
【００２９】
足裏受け部材４０は、スライド部材５０を介して膝受止板３０の下部に設けられている。スライド部材５０は膝受止板３０内部に設けた受け部材６０内にスライド可能に装着されており、その長手方向（スライド方向）に沿って、スライド部材５０には、固定ピン５１を挿通可能な複数のピン挿通孔５０ａが等間隔に設けられている。
【００３０】
固定ピン５１による固定機構の構成は、図４に示した固定ピン２１の例と同一である。したがって、固定ピン５１を持ち上げてスライド部材５０をスライドさせ、別のピン挿通孔５０ａに固定ピン５１を挿通させることで足裏受け部材４０の上下方向の位置が調整可能である。なお、足裏受け部材４０自体の構成は、実施例１のものと同一である。
【００３１】
以上のとおり、本実施例においても、膝受止板３０及び足裏受け部材４０を作業者の体格や姿勢に合わせて適切な位置に調整し固定することができる。
【実施例３】
【００３２】
図６は、本発明の第３実施例を示す側面図である。本実施例は、実施例２と同様に、膝受止板支持部材２０を伸縮可能とすることで膝受止板３０の前後方向の位置を調整可能とするとともに、膝受止板支持部材２０の先端に膝受止板３０を回動可能に軸支することで膝受止板３０の前後方向の傾斜角度を調整可能としたものである。この膝受止板３０の前後方向の位置及び傾斜角度を調整する機構は実施例２と同じであるので、同一又は相当する構成には同一の符号を付し、その説明を省略する。なお、本実施例では、膝受止板３０の表面（膝が当たる面）にはクッション材３３を貼り付けている。
【００３３】
足裏受け部材４００は、スライド部材５０を介して膝受止板３０の下部に設けられている。スライド部材５０は、膝受止板３０内にスライド可能に装着されており、実施例２と同様に固定ピン５１を使用することで足裏受け部材４０の上下方向の位置を調整可能としている。また、スライド部材５０の下端にはコロ５２が設けられており、これによって事務用椅子とともに容易に移動可能となっている。さらに、スライド部材５０の下端は、伸縮可能なスライドロックステー７０を介して事務用椅子の脚部に連結されているので、スライド部材５０自体の安定性は確保されている。
【００３４】
図７は、足裏受け部材４００の構成を示す斜視図である。同図に示すように足裏受け部材４００の一方の側板４０１はＬ字状に形成され、足裏受け部材４００の底板に形成されたスライド溝４０２に沿って移動可能となっている。そして、この側板４０１は、ネジ式のロックピン４０３によって所定の位置に固定される。これによって、足裏受け部材４００の幅方向の長さが調整可能となり、作業者の足の幅に合わせて足裏受け部材４００の幅を設定することが可能となる。
【００３５】
図８は、足裏受け部材４００の底板部分の構成を示し、（ａ）は断面図、（ｂ）は底面図である。図８（ａ）に示すように足裏受け部材４００の底板４０４上には、金属製メッシュ４０５が敷設され、その上に底面が平板状で上面が波形状の形状を有する発砲クッション材からなる足裏載置面４０６が形成されている。さらに、底板４０４には、ボルト４０６を螺合可能な複数のネジ孔４０４ａが設けられている。
【００３６】
このような構成において、所定箇所のネジ孔４０４ａに所定数のボルト４０６を螺合させて、ボルト４０６を所定位置まで螺入させることで、例えば、図８（ａ）示すようなアーチ部を形成することができる。このアーチ部の形状及び高さは、ボルト４０６の螺入の位置及び量を変えることで調整できる。
【実施例４】
【００３７】
図９は、本発明の第４実施例を示す側面図、図１０は、図９をＡ方向から見た一部断面図である。本実施例の事務用椅子１００は、学童机用の椅子として用いられるものである。
【００３８】
図９に示すように、事務用椅子１００の腰掛部１０１の下方にある支柱１０２には、膝受止板支持部材２００が取り付けられている。膝受止板支持部材２００には複数の係合溝２００ａが等間隔で形成されており、この係合溝２００ａを支柱１０２に形成した係合突起１０２ａに嵌合させることで、膝受止板支持部材２００を支柱１０２に固定する。また、膝受止板支持部材２００を前後方向にスライドさせて、他の係合溝２００ａを支柱１０２に形成した係合突起１０１ａに嵌合させることで、膝受止板支持部材２００を進退可能としている。
【００３９】
膝受止板３００は、その下端を事務用椅子１００の両側の脚部１０３に回動可能に取り付けられており、その上部中央には膝受止板支持部材２００が貫通されている。膝受止板支持部材２００を貫通する貫通孔３０１にはＬ型金具３０２が設けられている。そして、Ｌ型金具３０２に形成した孔と、膝受止板支持部材２００の先端部分に形成した孔２００ｂとを整合させてボルト・ナット２０１を装着することで、膝受止板３００が所定の傾斜角度で固定される。膝受止板３００の傾斜角度を変えるには、膝受止板支持部材２００の先端部分に形成した別の孔２００ｂにボルト・ナット２０１を装着すればよい。
【００４０】
また、本実施例において、足裏受け部材５００は事務用椅子１００の両側の脚部１０３間に載置される。足裏受け部材５００の上面には、底面が平板状で上面が波形状の形状を有する発砲クッション材からなる足裏載置面５０１が形成されている。
【００４１】
以上のように本実施例においても、膝受止板３００の前後方向の位置及び傾斜角度が調整可能であり、膝受止板３００を作業者の体格や姿勢に合わせて適切な位置に調整し固定することができる。
【産業上の利用可能性】
【００４２】
本発明は、ＯＡ機器用や学童机用の椅子を始めとして、机に向かって作業する際に使用する各種の事務用椅子に適用できる。
【図面の簡単な説明】
【００４３】
【図１】本発明の第１実施例の全体構成を示す側面図である。
【図２】第１実施例における膝受止板の膝受止板支持部材への取付構造を示す斜視図である。
【図３】足裏受け部材の底板部の構成を示す斜視図である。
【図４】本発明の第２実施例の要部を示す斜視図である。
【図５】第２実施例における固定ピンによる固定機構の構成を示す断面図である。
【図６】本発明の第３実施例を示す側面図である。
【図７】第３実施例における足裏受け部材の構成を示す斜視図である。
【図８】第３実施例における足裏受け部材の底板部分の構成を示し、（ａ）は断面図、（ｂ）は底面図である。
【図９】本発明の第４実施例を示す側面図である、
【図１０】図９をＡ方向から見た一部断面図である。
【符号の説明】
【００４４】
１  事務用椅子の腰掛部
２  膝受止板支持部材
２ａ  膝受止板取付用孔
３  膝受止板
３ａ  挿通孔
３ｂ  保持リブ
３ｃ  ボルト挿通孔
３ｄ  足裏受け部材装着孔
３ｅ  側壁部
３ｆ  足裏受け部材取付用孔
３ｇ  底板部
３ｈ  突起
４  足裏受け部材
４ａ  側壁部
４ｂ  ボルト挿通孔
４ｃ  足裏載置面
４ｄ  底板部
４ｅ  溝
５、６  ボルト
７  ピン
２０  膝受止板支持部材
２１  受け部材
２２  スライド部材
２２ａ  ピン挿通孔
２３  固定ピン
２４  バネ収納ボックス
２５  コイルバネ
３０  膝受止板
３１  保持リブ
３１ａ  ピン挿通孔
３２  固定ピン
３３  クッション材
４０  足裏受け部材
５０  スライド部材
５０ａ  ピン挿通孔
５１  固定ピン
５２  コロ
６０  受け部材
７０  スライドロックステー
１００  事務用椅子
１０１  腰掛部
１０２  支柱
１０３  脚部
２００  膝受止板支持部材
２００ａ  係合溝
２００ｂ  孔
３００  膝受止板
４００  足裏受け部材
４０１  側板
４０２  スライド溝
４０３  ロックピン
４０４  底板
４０４ａ  ネジ孔
４０５  金属製メッシュ
４０６  足裏載置面
５００  足裏受け部材
５０１  足裏載置面
【図１】
2005095556.tif 000003
【図２】
2005095556.tif 000004
【図３】
2005095556.tif 000005
【図４】
2005095556.tif 000006
【図５】
2005095556.tif 000007
【図６】
2005095556.tif 000008
【図７】
2005095556.tif 000009
【図８】
2005095556.tif 000010
【図９】
2005095556.tif 000011
【図１０】
2005095556.tif 000012